(57)【特許請求の範囲】
【請求項１】
被計測者の眼球内の前眼房を横切る光を出射する光出射手段と、
前記前眼房を横切った光を受光する光受光手段と、
前記光出射手段及び前記光受光手段を保持する保持部材と、
前記保持部材に設けられ、前記光出射手段から前記前眼房に向けて出射される光の角度を切り替えることで、当該光の角度を当該前眼房を横切るとともに前記光受光手段が受光できる角度に調整する調整手段と、を備え、
前記光出射手段は、光源と、当該光源から出射された光の方向を変更する光反射部材と、当該光反射部材へ入射する光の入射角を測定する角度測定手段と、を有し、
前記調整手段によって、前記光反射部材の前記光源に対する角度を調整することを特徴とする眼球の光計測装置。
【請求項２】
前記調整手段によって、前記光反射部材を軸に回転させて、当該光反射部材の前記光源に対する角度を調整することを特徴とする請求項１に記載の眼球の光計測装置。
【請求項３】
被計測者の眼球内の前眼房を横切る光を出射する光出射手段と、
前記前眼房を横切った光を受光する光受光手段と、
前記光出射手段及び前記光受光手段を保持する保持部材と、
前記保持部材に設けられ、前記光出射手段から前記前眼房に向けて出射される光の角度を切り替えることで、当該光の角度を当該前眼房を横切るとともに前記光受光手段が受光できる角度に調整する調整手段と、を備え、
前記光出射手段は、光源と、当該光源から出射された光の方向を変更する光反射部材と、当該光源と当該光反射部材との位置関係を固定する固定部材と、を有し、
前記調整手段によって、前記固定部材を回転させることで、前記光源から出射し、前記光反射部材により反射した光の方向を調整することを特徴とする眼球の光計測装置。
【請求項４】
前記調整手段によって、前記固定部材に固定された前記光反射部材を軸に当該固定部材を回転させて、当該光反射部材により反射した光の方向を調整することを特徴とする請求項３に記載の眼球の光計測装置。
【請求項５】
偏光制御された光を、被計測者の眼球内の前眼房を横切る方向に反射させる反射面と、
前記前眼房を横切った前記光を受光する光受光手段と、
前記偏光制御された光が前記反射面に入射する入射角を固定した状態で、当該反射面の角度を切り替える調整手段と、
を備える眼球の光計測装置。
【発明の詳細な説明】
【技術分野】
【０００１】
本発明は、眼球の光計測装置に関する。
【背景技術】
【０００２】
特許文献１には、所定の位置に予め配された眼球に光を照射する光源装置と、光源装置から出射された光に照射された眼球の角膜と空気との境界面による第１の後方散乱光の強度および角膜と前眼房との境界面による第２の後方散乱光の強度をそれぞれ検出する光検出器と、第１および第２の後方散乱光の強度に基づいて、前眼房内を満たす眼房水の屈折率を求める屈折率算出手段と、眼房水の屈折率と眼房水中のグルコース濃度との対応関係が予め記憶された記憶部と、記憶部に記憶された対応関係、および屈折率算出手段により求められた眼房水の屈折率に基づいて、眼房水中のグルコース濃度を求めるグルコース濃度算出手段とを備えたことを特徴とするグルコース濃度測定装置が記載されている。
【０００３】
特許文献２には、サンプル内のグルコースレベルを測定するときに複屈折を測定し、補償するために使用される非侵襲複屈折補償感知旋光計であって、サンプルにおけるリアルタイムの複屈折の寄与を感知するように構成され、フィードバック信号を複合電気光学システムに供給するように構成される光複屈折解析器と、前記信号を前記複屈折解析器から受け取るように構成され、前記サンプルにおいて見出された前記寄与を無効にするように構成される複合電気光学システムとを備える非侵襲複屈折補償感知旋光計が記載されている。
【０００４】
特許文献３には、濃度未知の旋光性物質以外の妨害旋光性物質によって発現する旋光角範囲が既知である尿の旋光角を測定し、前記旋光性物質の濃度Ｃ［ｋｇ／ｄｌ］を（Ａ−Ａｈ）／（α×Ｌ）≦Ｃ≦（Ａ−Ａｌ）／（α×Ｌ）
但し、Ａ：測定された尿の旋光角［ｄｅｇ］
Ａｈ：妨害旋光性物質によって発現する旋光角の最大値［ｄｅｇ］
Ａｌ：妨害旋光性物質によって発現する旋光角の最小値［ｄｅｇ］
α：旋光性物質の比旋光度［ｄｅｇ／ｃｍ・ｄｌ／ｋｇ］
Ｌ：測定光路長［ｃｍ］
の範囲であると判定する尿検査方法が記載されている。
【０００５】
非特許文献１には、うさぎの眼球において、前眼房を横切る方向にレーザ光を透過させてグルコース濃度を測定したことが記載されている。そこでは、前眼房の前後にミラーを配置し、レーザ光の光路をミラーにより折り曲げて前眼房を透過させている。
【先行技術文献】
【特許文献】
【０００６】
【特許文献１】特許第３５４３９２３号公報
【特許文献２】特表２００７−５１８９９０号公報
【特許文献３】特開平０９-１３８２３１号公報
【非特許文献】
【０００７】
【非特許文献１】Ｇ．パービニス(GeorgeannePurvinis)、Ｂ．Ｄ．カメロン(Brent D. Cameron)、Ｄ．Ｍ．アルトロッジ(Douglas M. Altrogge)、「非侵襲性の旋光を基にしたグリコースモニタ：生体での研究(Noninvasive Polarimetric-Based Glucose Monitoring: An in Vivo Study)」、糖尿病の科学と技術ジャーナル(Journal of Diabetes Science and Technology)、第５巻、第２号、２０１１年３月、ｐ．３８０-３８７
【発明の概要】
【発明が解決しようとする課題】
【０００８】
ところで、被計測者の眼球の前眼房を横切るように光を出射し、前眼房を横切って眼球外に出てきた光を受光することで前眼房内の眼房水に関する光計測を行う場合、眼球の角膜と空気との屈折率差によって決まる光の屈折方向を考慮して、出射手段（光出射手段）および受光手段を位置決めする必要がある。
ここで、被計測者の眼球に対して出射手段及び受光手段を位置決めする方法として、出射手段及び受光手段を適切な位置及び角度で保持部材に固定し、この保持部材を眼球の前後方向に調整する方法が考えられる。
しかしながら、眼球の前眼房は非常に微小な領域であるとともに、眼球周辺の顔の形状が個人個人により異なるため、出射手段及び受光手段を保持部材に固定した状態で眼球に対して前後方向の位置を調整するだけでは、前眼房を横切る光路において出射及び受光が困難な場合があった。
【０００９】
そこで、本発明では、単に出射手段及び受光手段を眼球の前後方向のみに調整する位置決め方法と比較し、前眼房を横切る光路での出射と受光が容易な眼球の光計測装置を提供することを目的とする。
【課題を解決するための手段】
【００１０】
請求項１に記載の発明は、被計測者の眼球内の前眼房を横切る光を出射する光出射手段と、前記前眼房を横切った光を受光する光受光手段と、前記光出射手段及び前記光受光手段を保持する保持部材と、前記保持部材に設けられ、前記光出射手段から前記前眼房に向けて出射される光の角度を切り替えることで、当該光の角度を当該前眼房を横切るとともに前記光受光手段が受光できる角度に調整する調整手段と、を備え、前記光出射手段は、光源と当該光源から出射された光の方向を変更する光反射部材と、当該光反射部材へ入射する光の入射角を測定する角度測定手段と、を有し、前記調整手段によって、前記光反射部材の前記光源に対する角度を調整することを特徴とする眼球の光計測装置である。
請求項２に記載の発明は、前記調整手段によって、前記光反射部材を軸に回転させて、当該光反射部材の前記光源に対する角度を調整することを特徴とする請求項１に記載の眼球の光計測装置である。
請求項３に記載の発明は、被計測者の眼球内の前眼房を横切る光を出射する光出射手段と、前記前眼房を横切った光を受光する光受光手段と、前記光出射手段及び前記光受光手段を保持する保持部材と、前記保持部材に設けられ、前記光出射手段から前記前眼房に向けて出射される光の角度を切り替えることで、当該光の角度を当該前眼房を横切るとともに前記光受光手段が受光できる角度に調整する調整手段と、を備え、前記光出射手段は、光源と、当該光源から出射された光の方向を変更する光反射部材と、当該光源と当該光反射部材との位置関係を固定する固定部材と、を有し、前記調整手段によって、前記固定部材を回転させることで、前記光源から出射し、前記光反射部材により反射した光の方向を調整することを特徴とする眼球の光計測装置である。
請求項４に記載の発明は、前記調整手段によって、前記固定部材に固定された前記光反射部材を軸に当該固定部材を回転させて、当該光反射部材により反射した光の方向を調整することを特徴とする請求項３に記載の眼球の光計測装置である。
請求項５に記載の発明は、偏光制御された光を、被計測者の眼球内の前眼房を横切る方向に反射させる反射面と、前記前眼房を横切った光を受光する光受光手段と、前記偏光制御された光が前記反射面に入射する入射角を固定した状態で、当該反射面の角度を切り替える調整手段と、を備える眼球の光計測装置である。
【発明の効果】
【００１１】
請求項１の発明によれば、単に出射手段及び受光手段を眼球の前後方向のみに調整する位置決め方法と比較し、前眼房を横切る光路での出射と受光が容易な眼球の光計測装置を提供することができる。
請求項２の発明によれば、光反射部材を回転の軸にしない場合に比べ、顔側に近い光反射部材の動きを抑制できる。
請求項３の発明によれば、光反射部材への光の入射角を変えることによる光路変更に比べ、光反射部材から反射する光の偏光状態の変化が抑制される。
請求項４の発明によれば、光反射部材を回転の軸にしない場合に比べ、顔側に近い光反射部材の動きを抑制できる。
請求項５の発明によれば、反射面への光の入射角を変えることによる光路変更に比べ、反射面から反射する光の偏光状態の変化が抑制される。
【図面の簡単な説明】
【００１２】
【図１】第１の実施の形態が適用される光計測装置の構成の一例を示す図である。
【図２】光計測装置を後側からみた斜視図である。
【図３】眼球と光学系における光路との関係を説明する図である。
【図４】光計測装置によって、前眼房における眼房水に含まれる光学活性物質による振動面の回転角（旋光度）を計測する方法を説明する図である。
【図５】光路におけるミラーの影響を説明する図である。（ａ）は、光が前眼房を横切るように通過しない場合、（ｂ）は、光が前眼房を横切るように通過する場合を示す図である。
【図６】ミラーの角度を測定する方法を説明する図である。（ａ）は、調整部が備えるステッピングモータを用いてミラーの角度を測定する方法、（ｂ）は、ビーム状の測定光をミラーに向けて出射する光源と撮像素子とを備えたミラー角度測定部によりミラーの角度を測定する方法である。
【図７】ミラーの角度を変える際における回転の軸を説明する図である。（ａ）は、回転の軸がミラー上の反射点と一致する場合、（ｂ）は、回転の軸がミラーの中心と一致する場合、（ｃ）は、回転の前後方向における後側軸がミラーの端と一致する場合を示す。
【図８】第２の実施の形態が適用される眼球の光計測装置の光学系における発光系を説明する図である。（ａ）は、光路が前眼房を横切るように通過しない場合、（ｂ）は、光路が前眼房を横切るように通過する場合を示す図である。
【図９】第３の実施の形態が適用される眼球の光計測装置の光学系における発光系を説明する図である。（ａ）は、光路が前眼房を横切るように通過しない場合、（ｂ）は、光路が前眼房を横切るように通過する場合を示す図である。
【図１０】第４の実施の形態が適用される眼球の光計測装置の一例を示す図である。
【発明を実施するための形態】
【００１３】
以下、添付図面を参照して、本発明の実施の形態について説明する。なお、添付図面では、眼球と光路との関係を明らかにするため、眼球を他の部材（後述する光学系など）に比べ大きく表記している。
【００１４】
［第１の実施の形態］
＜光計測装置１＞
図１は、第１の実施の形態が適用される光計測装置１の構成の一例を示す図である。なお、図１に示す眼球１０は左目である。
この光計測装置１は、被計測者（被験者）の眼球１０の前眼房１３（後述）内の眼房水の特性の計測に用いる光学系２０、光学系２０を制御する制御部４０、光学系２０および制御部４０を保持する保持部５０、光学系２０を用いて計測されたデータに基づいて眼房水の特性を算出する算出部６０、被計測者の瞼に接触し瞼を抑える瞼抑え部７０を備えている。
【００１５】
以下の説明において、図１に示す光計測装置１の紙面上側と紙面下側との方向を上下方向と呼ぶことがある。また、図１に示す被計測者の前側と被計測者の後側との方向を前後方向と呼ぶことがある。また、図１に示す光計測装置１の被計測者から見て内側（鼻側、目頭側）と外側（耳側、目尻側）との方向を内外方向と呼ぶことがある。
また、第１の実施の形態が適用される光計測装置１が測定する眼房水の特性とは、眼房水に含まれる光学活性物質による直線偏光の振動面の回転角（旋光度αＭ）、円偏光に対する吸色度（円二色性）などをいう。なお、直線偏光の振動面とは、直線偏光において電界が振動する面をいう。
【００１６】
さて、光学系２０は、眼球１０の前眼房１３（後述）に光を出射する発光系２１と、前眼房１３を通過した光を受光する受光系２３とを備える。
【００１７】
まず、光出射手段の一例としての発光系２１は、発光部２５、偏光子２７、ミラー２９を備えている。
光源の一例としての発光部２５は、発光ダイオード（ＬＥＤ）やランプのような波長幅が広い光源であってもよく、レーザのような波長幅が狭い光源であってもよい。また、ＬＥＤ、ランプ又はレーザを複数備えていてもよい。なお、後述するように、複数の波長を使用できることが好ましい。
偏光子２７は、例えば、ニコルプリズムなどであって、入射した光から、予め定められた振動面の直線偏光を通過させる。
光反射部材の一例としてのミラー２９は、偏光子２７を通過した光を反射させ、点線で示す光路２８を折り曲げる。
【００１８】
次に、光受光手段の一例としての受光系２３は、補償子３１、検光子３３、受光部３５を備える。
補償子３１は、例えばガーネット等を用いたファラデー素子などの磁気光学素子であって、磁場によって直線偏光の振動面を回転させる。
検光子３３は、偏光子２７と同様の部材であって、予め定められた振動面の直線偏光を通過させる。
受光部３５は、シリコンダイオードなどの受光素子であって、光の強度に対応した出力信号を出力する。
【００１９】
制御部４０は、光学系２０における発光部２５、補償子３１、受光部３５などを制御して、眼房水の特性に関する計測データを得る。
保持手段の一例としての保持部５０は、光学系２０及び制御部４０を保持する略円筒状の筺体である。なお、図１に示す保持部５０は、円筒を軸方向と平行な面で切断した形状として示しているが、これは、光学系２０を見やすくするためである。また、保持部５０の形状は、他の形状であってもよく、例えば、断面が四辺形や楕円の筒状であってもよい。なお、保持部５０の詳細については、後述する。
算出部６０は、制御部４０から計測データを受信し、眼房水の特性を算出する。
【００２０】
瞼抑え部７０は、保持部５０に設けられるとともに、瞼（上眼瞼、下眼瞼）に接触させることで瞼を抑え、瞼を開いた状態で維持する。瞼抑え部７０は、上眼瞼抑え部７１及び下眼瞼抑え部７２を備えている。
なお、光計測装置１は、瞼抑え部７０を備えなくてもよい。
【００２１】
図２は、光計測装置１を後側からみた斜視図である。なお、算出部６０の表記を省略している。
ここでは、保持部５０を説明する。
保持部５０は、円筒状の本体５０Ａ、支持部５０Ｂ、５０Ｃ、５０Ｄ、５０Ｅを備えている。支持部５０Ｂ、５０Ｃ、５０Ｄ、５０Ｅは、本体５０Ａの後側の端部に固定して設けられている。支持部５０Ｂ、５０Ｃは、発光系２１、上眼瞼抑え部７１及び下眼瞼抑え部７２のそれぞれの一端部を支持する。支持部５０Ｄ、５０Ｅは、受光系２３、上眼瞼抑え部７１及び下眼瞼抑え部７２のそれぞれの他端部を支持する。
そして、発光系２１を支持する支持部５０Ｂ、５０Ｃには、発光系２１から出射される光の方向を変更する際の軸Ｏ−Ｏ′が設けられている。後述するように、この軸Ｏ−Ｏ′を中心として、発光系２１におけるミラー２９又は発光系２１を移動させる（角度を変える）ことにより、発光系２１から出射する光の方向を変更する。
【００２２】
さらに、光計測装置１は、軸Ｏ−Ｏ′を中心として、発光系２１におけるミラー２９又は発光系２１を回転（移動）させて（角度を変えて）光の方向を調整できる、調整手段の一例としての調整部８０を備えている。
調整部８０は、モータなどを含み、制御部４０の制御に基づいて、発光系２１におけるミラー２９又は発光系２１を回転させて光の方向を調整するものであってもよい。また、調整部８０は、回転可能なダイヤルなどの機構を含み、被計測者が手動により発光系２１におけるミラー２９又は発光系２１を回転させて光の方向を調整するものであってもよい。すなわち、調整部８０は、発光系２１におけるミラー２９の角度を調整できる機構であれば、他の機構であってもよい。
なお、光計測装置１が瞼抑え部７０を備えない場合には、支持部５０Ｂ、５０Ｃは、発光系２１を支持し、支持部５０Ｄ、５０Ｅは、受光系２３を支持するように構成される。
【００２３】
＜眼球１０と光学系２０における光路２８との関係＞
図３は、眼球１０と光学系２０における光路２８との関係を説明する図である。図３では、人（被計測者）を頭側（上側）から見た状態を示している。また、図では、光学系２０の一部が、顔の内部に埋め込まれているように見えるが、これは顔の表面の凹凸形状の関係でそのように見えているだけであり、実際は顔の表面上に配置されている。
【００２４】
次に、図３を参照しながら、眼球１０と光学系２０の光路２８との関係について説明する。
ここでは、まず眼球１０の構造について説明をし、次にこの眼球１０と光学系２０の光路２８との関係について詳細に説明する。
図３に示すように、眼球１０は、外形がほぼ球形であって、中央にガラス体１１がある。そして、レンズの役割をする水晶体１２が、ガラス体１１の一部に埋め込まれている。水晶体１２の前側には、前眼房１３があり、その前側に角膜１４がある。前眼房１３及び角膜１４は、球形から凸状に飛び出している。
水晶体１２の周辺部は虹彩に囲まれ、その中心が瞳孔１５である。水晶体１２に接する部分を除いて、ガラス体１１は、網膜１６で覆われている。
【００２５】
前眼房１３は、角膜１４と水晶体１２とで囲まれた領域である。この前眼房１３は、正面から見た形状が円形である（図１参照）。そして、前眼房１３は、眼房水で満たされている。
【００２６】
次に、眼球１０と光学系２０の光路２８との位置関係を説明する。
図３に示すように、光学系２０において、眼房水の特性の計測に用いる光は、発光部２５から出射され、光路２８に沿って進み、受光部３５へ入射する。すなわち、発光部２５から出射された光は、偏光子２７を通過後、ミラー２９により前眼房１３を横切る方向（目に平行な方向）に折り曲げられる。そして、前眼房１３を横切るよう（内外方向）に通過する。さらに、前眼房１３を通過した光は、補償子３１、検光子３３を介して、受光部３５に入射する。
【００２７】
ここで、図３に示すように、発光系２１から出射された光は、内外方向における外側に向かう向きで、且つ前後方向における前側に向かう向きで、前眼房１３に入射する。また、前眼房１３を通過した光は、内外方向における外側に向かう向きで、且つ前後方向における後側に向かう向きで、受光系２３に入射する。
すなわち、発光系２１が前眼房１３に向けて出射する光が前後方向における前側に向けて斜めに進むように、発光系２１（ミラー２９）が配置されている。つまり、ミラー２９は、眼球１０の露出部（前眼房１３）の前側頂部よりも、後側（奥側）に配置されている。
また、受光系２３は、前眼房１３から前後方向における後側に向けて斜めに進む光を受けるように配置されている。
【００２８】
この配置は、次の理由による。すなわち、発光部２５から出射した光は、角膜１４を通過して、前眼房１３に入射する。このとき、前眼房１３及び角膜１４が眼球１０において凸状に飛び出していること、空気（屈折率：１）と角膜１４（屈折率：１．３７〜１．３８）との間、及び角膜１４（屈折率：１．３７〜１．３８）と眼房水（屈折率：約１．３４）との間に屈折率差があることにより、光が屈折する。すなわち、光路２８は、角膜１４及び前眼房１３（眼房水）に入射すると、後側（眼球１０側）に曲げられ、そして、前眼房１３（眼房水）及び角膜１４から出射すると、さらに後側に曲げられる。そこで、発光系２１および受光系２３は、光が角膜１４及び前眼房１３を通過することにより後側に曲げられることを踏まえて、配置されている。
【００２９】
また、顔の目（眼球１０）の周囲には、鼻（鼻梁）が位置し、光学系２０を設定するスペースが少ない。さらに、光が前眼房１３から外れると、正確な計測が行えなくなる。よって、光が、前眼房１３から外れることなく、前眼房１３を横切るように通過するべく光路２８が設定されることが好ましい。
そこで、図示の光計測装置１においては、眼球１０に対して平行に近い角度で光を入射させ、前眼房１３を横切るように光路２８を設定するため、図１に示すように、ミラー２９を設け、鼻側の光路２８を折り曲げることで、スペースを有効に利用しようとしている。
【００３０】
なお、光路２８は、図示の構成に限定されるものではなく、発光系２１から出射された光が前眼房１３を横切るように通過し、受光部３５で受光されるように設定されていればよい。また、光が前眼房１３を横切るように通過するとは、眼球１０を正面から見た場合において、上下方向よりも内外方向に近い角度（つまり、内外方向の水平軸に対して±４５度未満の範囲）で通過することをいい、前後方向に斜めに通過する場合も含む。
【００３１】
＜眼房水の光計測＞
次に、光計測装置１を用いて、前眼房１３における眼房水のグルコース濃度を算出する例を説明する。
【００３２】
（眼房水のグルコース濃度を測定する背景）
まず、眼房水のグルコース濃度を測定する背景について説明する。
インスリン治療を必要とする１型糖尿病患者、２型糖尿病患者（被計測者）には、自己血糖測定が推奨されている。自己血糖測定では、血糖コントロールを精緻に行うために、家庭などにおいて被計測者自身で自己の血糖値を測定する。
現在流通している自己血糖測定器は、指先などを注射針で穿刺し、微量の血液を採取して、血液中のグルコース濃度を測定する。自己血糖測定は、毎食後や就寝前等での測定が推奨されることが多く、一日に１回から数回行うことが求められる。特に、強化インスリン治療では、さらに多数回の測定が必要とされている。
このため、穿刺式の自己血糖測定器を用いた侵襲式の血糖値測定法は、血液を採取する時（採血時）の痛みによる苦痛から、被計測者の自己血糖測定に対するインセンティブ低下を招きやすい。このため、効率的な糖尿病治療が困難となる場合がある。
【００３３】
そこで、穿刺などの侵襲式の血糖値測定法に代わる、穿刺を必要としない非侵襲式の血糖値測定法の開発が進められている。
非侵襲式の血糖値測定法として、近赤外分光法、光音響分光法、旋光性を利用する方法などが検討されている。なお、これらの方法では、グルコース濃度から血糖値を推測する。
近赤外分光法や光音響分光法は、指の血管内の血液における光吸収スペクトルや音響振動を検出する。しかし、血液中には赤血球、白血球などの細胞物質が存在する。このため、光散乱の影響を大きく受ける。さらに、血管内の血液の他に周囲の組織の影響も受ける。よって、これらの方法は、タンパク質、アミノ酸等、莫大な数の物質が関与する信号からグルコース濃度に関する信号を検出することを必要とし、信号の分離が難しい。
【００３４】
一方、前眼房１３における眼房水は、血清とほぼ同じ成分であって、タンパク質、グルコース、アスコルビン酸等を含んでいる。しかし、眼房水は、血液と異なり、赤血球、白血球などの細胞物質を含まず、光散乱の影響が小さい。よって、眼房水は、グルコース濃度の光学的な測定に適している。
そして、眼房水に含まれるタンパク質、グルコース、アスコルビン酸等は光学活性物質であって、旋光性を有している。
そこで、第１の実施の形態が適用される光計測装置１は、この眼房水から、旋光性を利用してグルコースを含む光学活性物質の濃度を光学的に計測する。
なお、眼房水は、グルコースを輸送するための組織液であることから、眼房水のグルコース濃度は、血液中のグルコース濃度と相関すると考えられている。そして、ウサギを用いた測定において、血液から眼房水へのグルコースの輸送にかかる時間（輸送遅延時間）は、１０分以内であると報告されている。
【００３５】
（光路の設定）
さて、眼房水に含まれるグルコースなどの光学活性物質の濃度を光学的に計測する手法において、設定することのできる光路は以下の２つである。
１つは、図３に示す第１の実施の形態と異なり、眼球１０に対して垂直に近い角度、すなわち前後方向に沿って光を入射させ、角膜１４と眼房水との界面又は眼房水と水晶体１２との界面で光を反射させ、反射した光を受光（検出）する光路である。もう１つは、図２に示す第１の実施の形態のように、前後方向と交差する角度、具体的には眼球１０に対して平行に近い角度で光を入射させ、前眼房１３を横切るように通過した光を受光（検出）する光路である。
【００３６】
前者のように、眼球１０に対して垂直に近い角度で光を入射させる光路は、網膜１６に光が達するおそれがある。特に、発光部２５に、コヒーレント性が高いレーザを用いる場合、網膜１６に光が達することは好ましくない。
【００３７】
これに対し、後者の第１の実施の形態のように、眼球１０に対して平行に近い角度で光を入射させる光路では、角膜１４を通して前眼房１３を横切るように光を通過させ、眼房水を通過した光を受光（検出）する。このため、光が網膜１６に達することが抑制される。
光学活性物質による振動面の回転角（旋光度）は、光路長に依存し、光路長が長いほど旋光度が大きい。よって、前眼房１３を横切るように光を通過させることで、光路長が長く設定される。
【００３８】
（光学活性物質の濃度算出）
図４は、光計測装置１によって、前眼房１３における眼房水に含まれる光学活性物質による振動面の回転角（旋光度）を計測する方法を説明する図である。ここでは、説明を容易にするため、光路２８を折り曲げない構成とし、ミラー２９の記載を省略している。
また、図４に示す発光部２５、偏光子２７、前眼房１３、補償子３１、検光子３３、および受光部３５のそれぞれの間において、光の進行方向から見た偏光の様子を円内の矢印で示している。
【００３９】
発光部２５は、ランダムな振動面を持つ光を出射する。そして、偏光子２７は、予め定められた振動面の直線偏光を通過させる。図４においては、例として、紙面に平行な振動面の直線偏光が通過する。
偏光子２７を通過した直線偏光は、前眼房１３における眼房水に含まれる光学活性物質により、振動面が回転する。図４では、振動面は角度αＭ（旋光度αＭ）回転する。
【００４０】
次に、前眼房１３における眼房水に含まれる光学活性物質により回転した振動面を、補償子３１により元に戻す。補償子３１がファラデー素子などの磁気光学素子である場合には、補償子３１に磁界を印加することで、補償子３１を通過する光の振動面を回転させる。
そして、検光子３３を通過した直線偏光を受光部３５により受光し、光の強度に対応した出力信号に変換する。
【００４１】
ここで、光学系２０による旋光度αＭの計測方法の一例を説明する。
まず、発光部２５を出射した光が前眼房１３を通過させない状態において、発光部２５、偏光子２７、補償子３１、検光子３３、及び受光部３５を含む光学系２０を用いながら、受光部３５からの出力信号が最小になるよう、補償子３１及び検光子３３を設定する。図４に示す例において、光が前眼房１３を通過させない状態では、偏光子２７を通過した直線偏光の振動面は、検光子３３を通過する振動面と直交する。
【００４２】
次に、光が前眼房１３を通過する状態とする。すると、前眼房１３における眼房水に含まれる光学活性物質によって、振動面が回転する。このため、受光部３５からの出力信号は、最小値から外れる。そこで、受光部３５からの出力信号が最小になるように、補償子３１に磁界を印加して振動面を回転させる。すなわち、補償子３１から出射する光の振動面を、検光子３３を通過する振動面と直交させる。
この補償子３１によって回転させた振動面の角度が、眼房水に含まれる光学活性物質によって発生した旋光度αＭに対応する。ここで、補償子３１に印加した磁場の大きさと回転した振動面の角度との関係は、事前に知られている。したがって、補償子３１に印加した磁場の大きさから、旋光度αＭが分かる。
【００４３】
具体的には、発光部２５から前眼房１３における眼房水に複数の波長λ（波長λ１、λ２、λ３、…）の光を入射し、それぞれに対して旋光度αＭ（旋光度αＭ１、αＭ２、αＭ３、…）を求める。これらの波長λと旋光度αＭとの組が、算出部６０に取り込まれ、求めたい光学活性物質の濃度が算出される。
なお、算出部６０により算出された光学活性物質の濃度は、光計測装置１が備える表示手段（不図示）に表示してもよいし、光計測装置１が備える出力手段（不図示）を介してＰＣ（Personal Computer）などの他の端末装置（不図示）に出力してもよい。
【００４４】
付言すると、眼房水には、前述したように複数の光学活性物質が含まれている。よって、計測された旋光度αＭは、複数の光学活性物質それぞれによる旋光度αＭの和である。そこで、計測された旋光度αＭから、求めたい光学活性物質（ここでは、グルコース）の濃度を算出することが必要となる。求めたい光学活性物質の濃度の算出は、例えば、特開平０９-１３８２３１号公報（上記特許文献３）に開示されているような公知の方法を用いればよいので、ここでは説明を省略する。
【００４５】
また、図４では、偏光子２７の振動面と検光子３３を通過する前の振動面が共に、紙面に平行であるとしている。しかし、発光部２５を出射した光が前眼房１３を通過させない状態において、補償子３１によって振動面が回転する場合には、検光子３３を通過する前の振動面が紙面に平行な面から傾いていてもよい。すなわち、光が前眼房１３における眼房水を通過させない状態において、受光部３５からの出力信号が最小になるように、補償子３１と検光子３３とを設定すればよい。
【００４６】
また、ここでは旋光度αＭを求める方法として補償子３１を用いた例を述べたが、補償子３１以外で旋光度αＭを求めてもよい。さらに、ここでは振動面の回転角（旋光度αＭ）を測定する最も基本的な測定法である直交偏光子法（ただし補償子３１を使用）について示したが、回転検光子法やファラデー変調法、光学遅延変調法といった他の測定方法を適用してもよい。
【００４７】
＜ミラー２９による光の反射＞
前述したように、顔の目（眼球１０）の周囲には、鼻（鼻梁）が位置し、光学系２０を設定するスペースが少ない。そこで、前眼房１３を横切るように光を通過させるためには、ミラー２９を用いて、光路２８を折り曲げることが好ましい。
そこで、ミラー２９による光の反射について説明する。
【００４８】
旋光性を用いたグルコース等の光学活性物質の濃度の測定には、前述したように旋光度αＭの測定が必要である。旋光度αＭは、偏光の振動面の回転である。よって、眼房水中のグルコースなどの光学活性物質による旋光性以外の影響により、偏光の振動面が回転したり、偏光の状態（偏光状態）が変化したりすると、グルコース濃度の計測が不正確になる。すなわち、計測の精度が低くなる。
光学活性物質による旋光以外に振動面を回転させたり、偏光状態を変化させたりする要因の一つに、ミラー２９による反射がある。
【００４９】
ミラー２９による反射では、入射面に平行な成分（Ｐ）及び垂直な成分（Ｓ）のそれぞれの反射率は、ミラー２９の屈折率及び入射角に依存する。このため、ミラー２９に偏光を入射させると、入射角により、反射光の偏光状態が変ることがある。例えば、直線偏光を入射させる場合、ある入射角では、反射光も直線偏光となることがあり、異なる入射角では、反射光が楕円偏光になることがある。
なお、ミラー２９の屈折率、入射光の偏光状態（振動面の向き及び直線偏光、楕円偏光）及び入射角が既知であれば、反射光の偏光状態は算出しうる。
【００５０】
図５は、光路２８におけるミラー２９の影響を説明する図である。図５（ａ）は、光が前眼房１３を横切るように通過しない場合、図５（ｂ）は、光が前眼房１３を横切るように通過する場合を示す図である。
図５（ａ）に示すように、発光部２５から出射し、ミラー２９に入射する入射光２８Ａは、ミラー２９で反射され、眼球１０に向かう。しかし、ミラー２９で反射された反射光２８Ｂは、前眼房１３を横切るように通過せず、後側（眼球１０側）に向かう。
ここで、眼球１０の前眼房１３は非常に微小な領域であるとともに、眼球１０の周辺の顔の形状は個人個人により異なるため、発光系２１および受光系２３を保持部５０に固定した状態で眼球１０に対して前後方向に位置を調整するだけでは、様々な顔の形状に対応する調整ができず、図５（ａ）に示すように、前眼房１３を横切る光路において出射及び受光ができない場合が発生する。
そこで、図５（ｂ）に示すように、眼球１０に対して前後方向に位置を調整することに加え、ミラー２９の角度を変えて、ミラー２９で反射した反射光２８Ｃが前眼房１３を横切って通過するように調整する。このように、前後方向の調整と出射角度調整とを組み合わせることで、より多くの被計測者に対して前眼房１３を横切る光路が確保されるようになる。
【００５１】
また、図５（ｂ）では、発光部２５を動かさず、ミラー２９の角度を変えて、ミラー２９からの反射光２８Ｂを反射光２８Ｃに変えている。このとき、反射光２８Ｂと反射光２８Ｃとでは、偏光状態が異なることがありうる。
したがって、例え、図５（ａ）におけるミラー２９からの反射光２８Ｂの偏光状態が分かっていたとしても、図５（ｂ）に示すようにミラー２９の角度を変えたことで、反射光２８Ｃの偏光状態が分からなくなる。よって、前眼房１３を横切って通過した光を計測しても、眼房水に含まれる光活性物質の旋光度αＭを正確に算出できない。
しかし、図５（ｂ）におけるミラー２９の角度が分かれば、反射光２８Ｃの偏光状態を算出しうる。よって、ミラー２９による偏光状態の変化を考慮することにより、眼房水に含まれる光活性物質の旋光度αＭがより正確に算出される。
すなわち、図５（ｂ）において、ミラー２９の角度を測定することが必要となる。
【００５２】
図６は、ミラー２９の角度を測定する方法を説明する図である。図６（ａ）は、調整部８０が備えるステッピングモータＭを用いてミラー２９の角度を測定する方法、図６（ｂ）は、ビーム状の測定光をミラー２９に向けて出射する光源と撮像素子とを備えた、ミラー角度測定部３７によりミラー２９の角度を測定する方法である。
【００５３】
まず、図６（ａ）に示すステッピングモータＭによりミラー２９の角度を測定する方法を説明する。ステッピングモータＭは、調整手段の一例、且つ角度測定手段の一例である。
ステッピングモータＭは、ロータ（磁石）と、ロータの周りに設けられた複数のコイルとから構成されている。そして、複数のコイルをあらかじめ定められた方法で励磁することで、ステッピングモータＭのロータが微小な角度で回転する。すなわち、ステッピングモータＭは、コイルを励磁する電流の供給により、回転角が設定される。
図５（ａ）に示すミラー２９の角度を基準とし、ステッピングモータＭを回転させることで、図５（ｂ）に示すミラー２９の角度にする。このとき、ステッピングモータＭの回転角から、ミラー２９の角度の変化が測定される。すなわち、ミラー２９の角度が分かる。よって、ミラー２９による反射光２８Ｃの偏光状態は算出しうる。
なお、ステッピングモータＭの制御は、制御部４０によって行われる。
【００５４】
次に、図６（ｂ）に示すミラー角度測定部３７によりミラー２９の角度を測定する方法を説明する。ミラー角度測定部３７は、角度測定手段の他の一例である。
ミラー角度測定部３７は、ビーム状の測定光をミラー２９に向けて出射する光源と、ミラー２９から反射した光を受光する複数の受光セルを備えた撮像素子とを備えている。
図５（ａ）に示すミラー２９の角度を基準とする。このとき、光源から出射されたビーム状の角度測定光は、ミラー２９の表面で反射され、撮像素子の複数の受光セルのいずれかに入射する。そして、ミラー２９の角度を変えて、図５（ｂ）に示すミラー２９の角度にする。すると、光源から出射されたビーム状の角度測定光は、ミラー２９の表面で反射して、撮像素子の複数の受光セルの他のいずれかに入射する。すなわち、ミラー２９の表面で反射した角度測定光を受光する受光セルの位置のシフト（ずれ）により、ミラー２９の角度の変化が測定される。すなわち、ミラー２９の角度が分かる。よって、ミラー２９による反射光の偏光状態は算出しうる。
なお、ビーム状の測定光をミラー２９に向けて出射する光源は、ＬＥＤやレーザであってよく、ミラー２９の表面で反射した測定光を受光する撮像素子は、ＣＣＤやＣＭＯＳセンサであってよい。
このとき、ミラー２９の角度は、調整部８０が備えるモータの回転で設定してもよく、被計測者が手動で調整部８０が備えるダイヤルなどにより設定（調整）してもよい。
なお、ミラー角度測定部３７の制御は、制御部４０によって行えばよい。
【００５５】
ミラー２９の角度の測定は、上記したステッピングモータＭを用いる方法又はミラー角度測定部３７による方法以外の方法で行ってもよい。
【００５６】
以上説明したように、ミラー２９の角度が分かれば、ミラー２９で反射した光の偏光状態は算出しうる。よって、ミラー２９による偏光状態の変化を考慮することにより、眼房水に含まれる光活性物質の旋光度αＭがより正確に算出される。
【００５７】
＜ミラー２９の回転の軸Ｏ−Ｏ′＞
ここで、ミラー２９の角度を変える際の回転の軸Ｏ−Ｏ′について説明する。なお、ミラー２９は、調整部８０によって、軸Ｏ−Ｏ′の回りに移動させられることで角度を変える。このことを、ここでは、ミラー２９が軸Ｏ−Ｏ′の回りで回転すると表現する。
図７は、ミラー２９の角度を変える際の回転の軸Ｏ−Ｏ′（図中ではＯ（Ｏ′）と表記する）を説明する図である。図７（ａ）は、回転の軸Ｏ−Ｏ′がミラー２９上の反射点Ｒと一致する場合、図７（ｂ）は、回転の軸Ｏ−Ｏ′がミラー２９の中心と一致する場合、図７（ｃ）は、回転の軸Ｏ−Ｏ′がミラー２９の前後方向における後側の端２９Ａと一致する場合を示す。
ここでは、ミラー２９における光路２８の反射点Ｒをミラー２９の前後方向における後側に近付けて示している。なお、ミラー２９が、反射面を有する部材と、反射面を有する部材の裏面にあって、反射面を有する部材を支持する部材とを含む場合は、これらの部材を全体としてミラー２９と表記する。
【００５８】
図７（ａ）に示すように、軸Ｏ−Ｏ′がミラー２９上の光路２８の反射点Ｒと一致する場合では、ミラー２９の角度を変えても、反射点Ｒは移動しない。よって、光路２８の調整が容易である。
【００５９】
図７（ｂ）に示すように、軸Ｏ−Ｏ′がミラー２９の中心側にある場合など、軸Ｏ−Ｏ′と反射点Ｒとが一致しない場合では、ミラー２９の角度を変えると、ミラー２９上における光路２８の反射点Ｒが移動する。よって、軸Ｏ−Ｏ′が反射点Ｒと一致する場合と比較し光路２８の調整が難しくなる。なお、軸Ｏ−Ｏ′と反射点Ｒとの距離が離れるほど移動量が大きくなる。また、図７（ｂ）の場合は、ミラー２９の端２９Ａが移動する。図３に示したように、ミラー２９は、顔の眼球１０に近接して設けられている。よって、ミラー２９と顔の眼球１０との距離や軸Ｏ−Ｏ′と反射点Ｒとの距離によっては、ミラー２９の端２９Ａが動くことで、ミラー２９が顔（眼球１０）に当たるおそれがある。
【００６０】
図７（ｃ）に示すように、軸Ｏ−Ｏ′がミラー２９の端２９Ａと一致する場合では、ミラー２９の角度を変えると、ミラー２９上の光路２８における反射点Ｒが移動する。よって、軸Ｏ−Ｏ′が反射点Ｒと一致する場合と比較し光路２８の調整が難しくなる。しかし、ミラー２９の端２９Ａは動かないため、ミラー２９が顔（眼球１０）に当たるおそれは低減される。
【００６１】
以上説明したように、ミラー２９を回転させる軸Ｏ−Ｏ′が反射点Ｒと一致すると、光路２８の調整が容易になる。一方、ミラー２９を回転させる軸Ｏ−Ｏ′がミラー２９の前後方向における後側（顔側）の端２９Ａと一致すると、ミラー２９と顔との距離の変化が抑制される。
よって、反射点Ｒをできるだけ移動させないためには、ミラー２９を回転させる軸Ｏ−Ｏ′は、ミラー２９の領域のうち反射点Ｒに近接した位置に設けることが好ましく、反射点Ｒと一致させるようにすることがより好ましい。また、ミラー２９が顔（眼球１０）に当たるおそれを低減するためには、軸Ｏ−Ｏ′は、ミラー２９の領域のうち顔側に近い側の領域に設けられることが好ましく、顔側に近い側の端部に設けられることがより好ましい。
【００６２】
［第２の実施の形態］
第１の実施の形態が適用される眼球の光計測装置１では、光学系２０の発光系２１において、発光部２５及び偏光子２７を固定し、ミラー２９の角度を変えて、光路２８が前眼房１３を横切るように通過して受光系２３に入射するように設定した。
第２の実施の形態が適用される眼球の光計測装置１では、光学系２０の発光系２１において、発光部２５、偏光子２７、ミラー２９を固定部材３８によって固定し、固定部材３８によって、発光系２１全体の角度を変えることにより、光路２８が前眼房１３を横切るように通過して受光系２３に入射するように設定する。
第２の実施の形態が適用される眼球の光計測装置１は、第１の実施の形態が適用される眼球の光計測装置１とは、光学系２０における発光系２１が異なるが、他の構成は同じである。よって、以下では、光学系２０における発光系２１を説明する。
【００６３】
図８は、第２の実施の形態が適用される眼球の光計測装置１の光学系２０における発光系２１を説明する図である。図８（ａ）は、光路２８が前眼房１３を横切るように通過しない場合、図８（ｂ）は、光路２８が前眼房１３を横切るように通過する場合を示す図である。
図８（ａ）に示すように、光学系２０における発光系２１は、発光部２５、偏光子２７、ミラー２９が固定部材３８によって固定されている。そして、ミラー２９の角度も、固定部材３８によって固定されている。つまり、発光部２５からミラー２９の反射面に入射する光の角度が固定された状態となっており、発光部２５に対してミラー２９の角度を独立に変えることができない。
そこで、図８（ｂ）に示すように、固定部材３８ごと、発光部２５、偏光子２７、ミラー２９を、軸Ｏ−Ｏ′の回りで回転させる。これにより、光路２８が前眼房１３を横切るように通過するように設定される。
【００６４】
なお、軸Ｏ−Ｏ′の位置として、発光系２１全体における長さ方向の中心よりも発光部２５に近い側に設けてもよいが、第１の実施の形態で説明したように、軸Ｏ−Ｏ′とミラー２９の反射点Ｒとの距離が離れるほど、ミラー２９を回転させた場合にミラー２９が顔（眼球１０）に当たるおそれが高まる。よって、軸Ｏ−Ｏ′は、発光系２１全体における長さ方向の中心よりもミラー２９に近い側に設けることで、発光部２５に近い側に設ける場合と比較し、ミラー２９が顔（眼球１０）に当たるおそれが低減される。また、軸Ｏ−Ｏ′を、発光系２１全体における長さ方向においてミラー２９が設けられる領域に設けることで、ミラー２９が顔（眼球１０）に当たるおそれがより低減される。図８（ａ）、（ｂ）では、軸Ｏ−Ｏ′は、第１の実施の形態で説明したように、ミラー２９の反射点Ｒを通るとともに、顔側に近接して設けられている。
【００６５】
以上説明したように、第２の実施の形態が適用される眼球の光計測装置１の光学系２０における発光系２１は、固定部材３８を介して、軸Ｏ−Ｏ′に対して一体として回転する。このため、発光系２１を回転させても、ミラー２９へ入射する光の入射角は変化しない。よって、ミラー２９からの反射する光の偏光状態は変化しない。
このため、第１の実施の形態が適用される眼球の光計測装置１と異なって、ミラー２９の角度を変える毎に、ミラー２９から反射される光の偏光状態を考慮する必要がない。
【００６６】
以上説明したように、第２の実施の形態が適用される眼球の光計測装置１では、眼房水に含まれる光活性物質の旋光度αＭをより正確に算出しやすい。
【００６７】
［第３の実施の形態］
第２の実施の形態が適用される眼球の光計測装置１では、光学系２０の発光系２１を支持部５０Ｂ、５０Ｃで支持された軸Ｏ−Ｏ′の回りで移動させることにより、光路２８が前眼房１３を横切って通過して受光系２３に入射するように設定した。
第３の実施の形態が適用される眼球の光計測装置１では、支持部５０Ｂ、５０Ｃの代わりにレール５１を用い、レール５１上で発光系２１を移動させることにより、光路２８が前眼房１３を横切って通過して受光系２３に入射するように設定する。
第３の実施の形態が適用される眼球の光計測装置１は、第２の実施の形態が適用される眼球の光計測装置１とは、光学系２０における発光系２１が異なるが、他の構成は同じである。よって、以下では、光学系２０における発光系２１を説明する。
【００６８】
図９は、第３の実施の形態が適用される眼球の光計測装置１の光学系２０における発光系２１を説明する図である。図９（ａ）は、光路２８が前眼房１３を横切るように通過しない場合、図９（ｂ）は、光路２８が前眼房１３を横切るように通過する場合を示す図である。
図９（ａ）に示すように、光学系２０における発光系２１は、第２の実施の形態と同様に、発光部２５、偏光子２７、ミラー２９に加えて、固定部材３８を備えている。そして、発光部２５、偏光子２７、ミラー２９は、固定部材３８に固定されている。さらに、ミラー２９の角度も、固定部材３８によって固定されている。つまり、発光部２５に対してミラー２９の角度を独立に変えることができない。
【００６９】
そして、発光系２１は、発光部２５側が、半径Ｄのレール５１上を移動するように設定されている。なお、レール５１は、例えば、保持部５０の円筒状の本体５０Ａに固定されている。レール５１の半径Ｄは、光路２８のミラー２９上の反射点Ｒを中心として設定されている。よって、発光系２１をレール５１上で移動させても、反射点Ｒは移動しない。
なお、発光系２１は、被計測者が手動によりレール５１上を移動させてもよい。この場合、レール５１が、調整手段の他の一例である。また、発光系２１がレール５１により支持される部分にモータなどを備え、モータの回転軸とレール５１の表面とを接触させることで、制御部４０の制御に基づくモータの回転により、発光系２１を移動させてもよい。この場合、レール５１及び発光系２１をレール５１上で移動させる機構が、調整手段のさらに他の一例である。
【００７０】
このため、第１の実施の形態が適用される眼球の光計測装置１と異なって、ミラー２９の角度を変える毎に、ミラー２９からの反射光の偏光状態を考慮する必要がない。
【００７１】
以上説明したように、第３の実施の形態が適用される眼球の光計測装置１では、眼房水に含まれる光活性物質の旋光度αＭをより正確に算出しやすい。
【００７２】
［第４の実施の形態］
第１の実施の形態から第３の実施の形態が適用される眼球の光計測装置１では、図１、図２に示したように、光学系２０の受光系２３は、前眼房１３を通過した光がミラーを介さず入射するとした。
第４の実施の形態が適用される眼球の光計測装置１では、光学系２０における受光系２３がミラーをさらに備え、光路２８を折り曲げるように構成されている。
【００７３】
図１０は、第４の実施の形態が適用される眼球の光計測装置１の一例を示す図である。
第４の実施の形態が適用される眼球の光計測装置１では、光学系２０における受光系２３がミラー３９をさらに備え、受光系２３においても光路２８を折り曲げている。
ミラー３９は、図４に示した光路２８において、補償子３１の前に置かれている。つまり、前眼房１３を通過して角膜１４から出射した光は、ミラー３９で反射され、補償子３１に入射する。
他の構成は、第１の実施の形態が適用される眼球の光計測装置１と同様であるので、説明を省略する。
【００７４】
前述したように、ミラー３９を介して光路２８を折り曲げると、ミラー３９への入射光と反射光とで、偏光状態が変化するおそれがある。よって、眼房水に含まれる光活性物質の旋光度αＭの計測の精度が悪くなるおそれがある。
よって、ミラー３９の角度を変えて光路２８を設定する場合には、第１の実施の形態が適用される眼球の光計測装置１において、光学系２０の発光系２１におけるミラー２９について説明したように、ミラー３９の角度を変える毎に、ミラー３９の角度を測定し、ミラー３９による偏光状態の変化を算出することが好ましい。
そして、光学系２０における受光系２３のミラー３９は、支持部５０Ｄ、５０Ｅに軸Ｑ−Ｑ′を設け、軸Ｑ−Ｑ′の回りで調整部８０とは異なる調整部（不図示）によって、移動させればよい。
【００７５】
また、第２の実施の形態が適用される眼球の光計測装置１における光学系２０の発光系２１と同様に、受光系２３に保持部材をさらに設けて、保持部材にてミラー３９、補償子３１、検光子３３、受光部３５を固定し、受光系２３を全体として移動させて、光路２８を設定してもよい。このとき、ミラー３９の角度も固定される。このようにすることで、ミラー３９への光の入射角及び反射角が固定される。よって、固定されたミラー３９の角度について、ミラー３９による偏光状態の変化を算出しておけばよい。
このとき、光学系２０における受光系２３は、支持部５０Ｄ、５０Ｅに設けた軸Ｑ−Ｑ′を中心として移動させてもよく、第３の実施の形態で説明したように、保持部５０における円筒状の本体５０Ａにレールを設け、レール上を移動させてもよい。
【００７６】
以上の第１の実施の形態から第４の実施の形態では、角膜１４の複屈折性について説明していない。角膜１４は複屈折性を有することが知られている。よって、偏光状態は、角膜１４の複屈折によっても影響を受ける。前眼房１３の眼房水中の光学活性物質の旋光度αＭの測定は、角膜１４の複屈折による影響を除いて行うことが必要である。角膜１４の複屈折による偏光状態の変化は、予め算出されうる。よって、前眼房１３の眼房水中の光学活性物質の旋光度αＭの測定は、角膜１４の複屈折による影響を除いて行うことが可能である。
【００７７】
上記では種々の実施の形態を説明したが、これらの実施の形態を組み合わせて構成してもよい。
また、本開示は上記の実施の形態に何ら限定されるものではなく、本開示の要旨を逸脱しない範囲で種々の形態で実施することができる。
【符号の説明】
【００７８】
１…光計測装置、１０…眼球、１３…前眼房、１４…角膜、２０…光学系、２１…発光系、２３…受光系、２５…発光部、２７…偏光子、２８…光路、２９、３９…ミラー、３１…補償子、３３…検光子、３５…受光部、３７…ミラー角度測定部、３８…固定部材、４０…制御部、５０…保持部、７０…瞼抑え部、７１…上眼瞼抑え部、７２…下眼瞼抑え部
【図１】
0005958635.tif 000002
【図２】
0005958635.tif 000003
【図３】
0005958635.tif 000004
【図４】
0005958635.tif 000005
【図５】
0005958635.tif 000006
【図６】
0005958635.tif 000007
【図７】
0005958635.tif 000008
【図８】
0005958635.tif 000009
【図９】
0005958635.tif 000010
【図１０】
0005958635.tif 000011